(57)【要約】【課題】画像の合成完了前に鮮明な確認用画像を得ることができるカメラを提供することを目的とする。【解決手段】被写体の像を撮影する撮像装置と、該撮像装置により取得される画像の露出を調節する露出調節部と、前記撮像装置により取得される画像を画像処理する画像処理装置と、該画像処理装置により画像処理された画像を表示する表示部と、これらを制御する制御部とを備え、該制御部が、前記露出調節部により適正露出に調節させた状態で前記撮像装置により参照画像を取得させ、該参照画像を前記表示部に表示させる間に、前記露出調節部によりマイナス露出に調節させた状態で前記撮像装置により複数の被合成画像を取得させ、取得された複数の被合成画像を前記画像処理装置により合成させて合成画像を生成させるカメラを採用する。【選択図】図１
2009044235.tif 000002
【特許請求の範囲】
【請求項１】
被写体の像を撮影する撮像装置と、
該撮像装置により取得される画像の露出を調節する露出調節部と、
前記撮像装置により取得される画像を画像処理する画像処理装置と、
該画像処理装置により画像処理された画像を表示する表示部と、
これらを制御する制御部とを備え、
該制御部が、前記露出調節部により適正露出に調節させた状態で前記撮像装置により参照画像を取得させ、該参照画像を前記表示部に表示させる間に、前記露出調節部によりマイナス露出に調節させた状態で前記撮像装置により複数の被合成画像を取得させ、取得された複数の被合成画像を前記画像処理装置により合成させて合成画像を生成させるカメラ。
【請求項２】
前記参照画像および前記合成画像の少なくとも一方に縮小処理を施してサムネイル画像を生成する縮小処理部を有し、
前記表示部が、前記縮小処理部により生成されたサムネイル画像を表示する請求項１に記載のカメラ。
【請求項３】
前記画像処理装置が、
前記参照画像および複数の前記被合成画像の輝度情報を抽出する輝度情報抽出部と、
該輝度情報抽出部により抽出された参照画像および被合成画像の輝度情報に基づいて、入力された複数の被合成画像の中から、前記合成画像の輝度情報と参照画像の輝度情報との差が所定値以下となるような被合成画像を選択する画像選択部と、
該画像選択部により選択された複数の被合成画像を合成する画像合成部とを有する請求項１または２に記載のカメラ。
【請求項４】
前記画像処理装置が、前記画像合成部により生成される合成画像の輝度情報と、前記参照画像の輝度情報とに基づいて、前記被合成画像または前記合成画像の輝度情報を補正する輝度補正部を有する請求項３に記載のカメラ。
【発明の詳細な説明】
【技術分野】
【０００１】
本発明は、複数の画像の合成処理を行うカメラに関するものである。
【背景技術】
【０００２】
従来、複数の画像の中から予め設定された条件に基づいて所定枚数の画像を選択し、選択した所定枚数の画像を合成する技術が知られている（例えば、特許文献１参照。）。この技術は、予め設定された条件を満足する画像のみを用いて合成画像を作成することにより、合成画像の画質を向上させることを目的としている。
【０００３】
ところで、例えば連写撮影により複数枚の画像を撮影した際、各画像は十分な露光時間を得られないことが多く、暗めに撮影した画像を合成して適正露出の画像を得る場合がある。この場合において、撮影開始後、画像の合成完了前に合成画像の構図やフォーカスなどを確認することを目的として、1枚の被合成画像の明るさをゲインアップして表示する技術が知られている（例えば、特許文献２参照。）。
【特許文献１】特開２００６−２４６３０９号公報
【特許文献２】特開２００６−５４６９８号公報
【発明の開示】
【発明が解決しようとする課題】
【０００４】
しかしながら、上記技術において、マイナス露出で撮影した被合成画像の明るさをゲインアップすることにより、該被合成画像に含まれるノイズも増幅されることとなり、鮮明な確認用画像を得ることができないという不都合があった。
【０００５】
本発明は、上記事情に鑑みてなされたもので、画像の合成完了前に鮮明な確認用画像を得ることができるカメラを提供することを目的とする。
【課題を解決するための手段】
【０００６】
上記課題を解決するために、本発明は以下の手段を採用する。
本発明は、被写体の像を撮影する撮像装置と、該撮像装置により取得される画像の露出を調節する露出調節部と、前記撮像装置により取得される画像を画像処理する画像処理装置と、該画像処理装置により画像処理された画像を表示する表示部と、これらを制御する制御部とを備え、該制御部が、前記露出調節部により適正露出に調節させた状態で前記撮像装置により参照画像を取得させ、該参照画像を前記表示部に表示させる間に、前記露出調節部によりマイナス露出に調節させた状態で前記撮像装置により複数の被合成画像を取得させ、取得された複数の被合成画像を前記画像処理装置により合成させて合成画像を生成させるカメラを採用する。
【０００７】
本発明によれば、合成画像を生成する場合、まず露出調節部により適正露出に調節された状態で撮像装置により参照画像が取得され、該参照画像が表示部に表示されている間に、露出調節部によりマイナス露出に調節された状態で撮像装置により複数の被合成画像が取得され、取得された複数の被合成画像が画像処理装置により合成される。これにより、画像処理装置による合成画像の生成処理が完了するのを待つことなく、合成画像の構図等を確認することが可能となる。
【０００８】
ここで、シャッタスピードを速くすることにより得られたマイナス露出の被合成画像を合成することにより、ブレのない鮮明な適正露出の画像を得ることができる。また、絞りを絞ることにより得られたマイナス露出の被合成画像を合成することにより、被写界深度の深い適正露出の画像を得ることができる。さらに、感度を低下させることにより得られたマイナス露出の被合成画像を合成することにより、ノイズの少ない適正露出の画像を得ることができる。
【０００９】
また、上記発明において、前記参照画像および前記合成画像の少なくとも一方に縮小処理を施してサムネイル画像を生成する縮小処理部を有し、前記表示部が、前記縮小処理部により生成されたサムネイル画像を表示してもよい。
【００１０】
縮小処理部により縮小処理を施されることによって、参照画像または合成画像の画像容量が低減され、多数の画像を少ない記憶容量で記憶することができる。
この場合において、縮小処理によれば、参照画像または合成画像は高周波成分、色成分、およびコントラストを失うことを可能な限り抑えて画像容量が低減されるので、画質を維持することができる。
【００１１】
また、上記発明において、前記画像処理装置が、前記参照画像および複数の前記被合成画像の輝度情報を抽出する輝度情報抽出部と、該輝度情報抽出部により抽出された参照画像および被合成画像の輝度情報に基づいて、入力された複数の被合成画像の中から、前記合成画像の輝度情報と参照画像の輝度情報との差が所定値以下となるような被合成画像を選択する画像選択部と、該画像選択部により選択された複数の被合成画像を合成する画像合成部とを有することとしてもよい。
【００１２】
このようにすることで、画像選択部が、輝度情報抽出部により抽出された参照画像および複数の被合成画像の輝度情報を比較して、複数の被合成画像を選択し、画像合成部が、選択された複数のマイナス露出の被合成画像を合成することにより、適正露出の参照画像と同等の輝度情報を有する合成画像を生成することができる。
【００１３】
また、合成後の画像の輝度情報と適正露出の参照画像の輝度情報とがほぼ一致するように被合成画像を選択するので、撮影条件の変動により被合成画像ごとに露出が変動しても、適正露出の画像を生成することができる。輝度情報としては、所定の画素の輝度値、全画素の平均輝度値等を用いることができる。
【００１４】
また、上記発明において、前記画像処理装置が、前記画像合成部により生成される合成画像の輝度情報と、前記参照画像の輝度情報とに基づいて、前記被合成画像または前記合成画像の輝度情報を補正する輝度補正部を有することとしてもよい。
このようにすることで、参照画像の露出により近い露出を有する合成画像を得ることが可能となる。
【発明の効果】
【００１５】
本発明によれば、画像の合成完了前に鮮明な確認用画像を得ることができるという効果を奏する。
【発明を実施するための最良の形態】
【００１６】
［第１の実施形態］
以下に、本発明の第１の実施形態に係るカメラについて、図面を参照して説明する。
図１および図２に示すように、本実施形態に係るカメラ１は、略直方体形状に形成されたカメラ本体３と、カメラ本体３の前面に設けられ、被写体の像を撮影する撮像装置５と、カメラ本体３の上面に設けられ、撮像装置５の操作を行うシャッタ操作部７と、例えば、背面液晶等の表示デバイスである表示部１０９とを備えている。
【００１７】
カメラ本体３は、図３に示すように、撮像装置５により取得される画像の露出を調節する露出調節部６と、撮像装置５により取得された画像を処理する画像処理装置１０と、画像処理装置１０により画像処理された画像を記録する記録メディア等である外部メモリ１１２と、外部メモリ１１２に記録された画像に縮小処理を施す縮小処理部１１１と、これらを制御する制御部４とを備えている。
【００１８】
撮像装置５は、レンズ等の光学系１２０と、ＣＣＤ等の撮像部１０７とを備えており、撮像部１０７は、光学系１２０によって取得された画像にＡＤ変換を施し、ＳＤＲＡＭ１１０に出力するようになっている。
【００１９】
露出調節部６は、被写体の明るさを検知するＡＥセンサー１２１と、ＡＥセンサー１２１から明るさ情報を受け取り、露出設定値を決定するＡＥ部１０６とを備えている。ＡＥ部１０６は、決定した露出設定値を制御部４に出力するようになっている。
【００２０】
シャッタ操作部７は、カメラ本体３の上端面に対して垂直方向に押し込み可能なシャッタボタン１２３と、シャッタボタン１２３が所定量押し込まれたことを判定するシャッタボタン判定部１０１とを備えている。シャッタボタン判定部１０１は、シャッタボタン１２３が所定量押し込まれたことを、制御部４に出力するようになっている。なお、シャッタボタン判定部１０１は、シャッタボタン１２３が所定量押し込まれている間には、制御部４への出力を継続するようになっている。
【００２１】
制御部４は、シャッタボタン判定部１０１からの情報に基づいて撮像装置５と露出調節部６とを制御するようになっている。具体的には、まず、シャッタボタン１２３が所定量押し込まれたことが、シャッタボタン判定部１０１より入力されると、制御部４は、露出調節部６に対して、適正露出となるように露出設定値の変更を指示するようになっている。また、シャッタボタン１２３が更に所定量押し込まれたことが、シャッタボタン判定部１０１より入力されると、制御部４は、撮像装置５に対して、露出調節部６により決定された露出設定値にて画像の取得を指示するようになっている。さらに、シャッタボタン１２３が所定量押し込まれていることが、シャッタボタン判定部１０１より継続して入力されると、制御部４は、露出調節部６に対して、マイナス露出となるように露出設定値の変更を指示し、撮像装置５に対して、露出調節部６により決定された露出設定値にて画像の取得を指示するとともに、撮像装置５を連写撮影状態に維持するようになっている。
【００２２】
画像処理装置１０は、撮像部１０７より入力された画像を一時保存するＳＤＲＡＭ１１０と、ＳＤＲＡＭ１１０に一時保存された画像を読み出して画像処理を施す画像処理部１０８と、画像処理部１０８により画像処理された画像を合成する画像合成部１２７とを備えている。
【００２３】
ＳＤＲＡＭ１１０には、露出調節部６の動作により、適正露出とされた画像（参照画像）およびマイナス露出とされた複数の画像（被合成画像）が撮像部１０７より入力され、ＳＤＲＡＭ１１０は、これらの画像を一時保存するようになっている。
画像処理部１０８は、ＳＤＲＡＭ１１０に一時保存された参照画像および被合成画像を読み出し、三板化や補正などの画像処理を施し、画像処理が行われた参照画像を外部メモリ１１２に出力し、画像処理が行われた被合成画像を画像合成部１２７に出力するようになっている。
【００２４】
画像合成部１２７は、画像処理部１０８により画像処理された複数の被合成画像を合成し、合成画像を外部メモリ１１２に出力するようになっている。
外部メモリ１１２は、画像処理部１０８より出力された参照画像および画像合成部１２７より出力された合成画像を記録するようになっている。
【００２５】
縮小処理部１１１は、参照画像および合成画像を外部メモリ１１２から読み出し、縮小処理を施してサムネイル画像を生成し、表示部１０９に出力するようになっている。
表示部１０９は、縮小処理部１１１により縮小処理が施された参照画像および合成画像をサムネイル画像として、ユーザに目視可能に表示するようになっている。
【００２６】
このように構成された本実施形態に係るカメラの作用について、以下に説明する。
本実施形態に係るカメラ１が起動されると、光学系１２０によって取得された被写体の像は、撮像部１０７の撮像面に結像される。そして、ユーザによってシャッタボタン１２３が所定量押し込まれると、シャッタボタン判定部１０１は当該情報を制御部４に出力し、制御部４はＡＥ部１０６に露出調節指示を出力する。
【００２７】
ＡＥ部１０６は、制御部４からの露出調節指示が入力されることにより、ＡＥセンサー１２１からの被写体の明るさ情報に基づいて露出設定値を決定する。該露出設定値は、制御部４を介して撮像装置５に出力され、撮像装置５は、制御部４により取得する画像が適正露出となるように制御される。
【００２８】
このように制御された撮像装置５により取得された被写体の像は、ユーザによってシャッタボタン１２３が更に所定量押し込まれると、制御部４からの指示により撮像部１０７によって参照画像として取得され、ＳＤＲＡＭ１１０に出力されて一時保存される。
【００２９】
ＳＤＲＡＭ１１０に一時保存された参照画像は、画像処理部１０８により画像処理が施され、画像処理が行われた参照画像は外部メモリ１１２に出力されて記録される。
外部メモリ１１２に記録された参照画像は、縮小処理部１１１により縮小処理が施され、表示部１０９にサムネイル画像として表示される。
【００３０】
また、適正露出の参照画像が撮影された後も継続して、シャッタボタン１２３が所定量押し込まれている場合、露出調節部６により露出の再設定が行われ、撮像装置５により被合成画像の連写撮影が行われる。
【００３１】
具体的には、ＡＥ部１０６により、被写体の画像がマイナス露出となるように露出設定値が変更される。そして、マイナス露出とされた被写体の像は、シャッタボタン１２３が所定量押し込まれている間には、連続して撮像部１０７により取得され、被合成画像としてＳＤＲＡＭ１１０に一時保存される。
【００３２】
ＳＤＲＡＭ１１０に一時保存された被合成画像は、画像処理部１０８により画像処理が施され、画像処理が行われた被合成画像は、画像合成部１２７に出力される。
画像合成部１２７では、画像処理部１０８により画像処理が施された複数の被合成画像の合成が行われ、合成画像は外部メモリ１１２に出力されて記録される。
【００３３】
外部メモリ１１２に記録された合成画像は、縮小処理部１１１により縮小処理が施され、表示部１０９にサムネイル画像として表示される。
なお、上記のように合成画像を生成している間には、被合成画像の撮影前に取得した参照画像がサムネイル画像として表示部１０９に表示されている。
【００３４】
以上説明したように、本実施形態に係るカメラによれば、合成画像を生成する場合、まず露出調節部６により適正露出に調節された状態で撮像装置５により参照画像が取得され、該参照画像が表示部１０９に表示されている間に、露出調節部６によりマイナス露出に調節された状態で撮像装置５により複数の被合成画像が取得され、取得された複数の被合成画像が画像処理装置１０により合成される。これにより、画像処理装置１０による合成画像の生成処理が完了するのを待つことなく、合成画像の構図等を確認することが可能となる。
【００３５】
ここで、被合成画像は、マイナス露出で撮影された画像であるが、例えば、シャッタスピードを速くすることにより得られたマイナス露出の被合成画像を合成することにより、ブレのない鮮明な適正露出の画像を得ることができる。また、絞りを絞ることにより得られたマイナス露出の被合成画像を合成することにより、被写界深度の深い適正露出の画像を得ることができる。さらに、感度を低下させることにより得られたマイナス露出の被合成画像を合成することにより、ノイズの少ない適正露出の画像を得ることができる。
【００３６】
また、縮小処理部１１１により縮小処理を施されることによって、参照画像または合成画像の画像容量が低減され、多数の画像を少ない記憶容量で記憶することができる。
この場合において、縮小処理によれば、参照画像または合成画像は高周波成分、色成分、およびコントラストを失うことを可能な限り抑えて画像容量が低減されるので、画質を維持することができる。
【００３７】
なお、本実施形態において、マイナス露出で撮影した複数の被合成画像を合成することにより合成画像を生成したが、複数の被合成画像に加えて適正露出で撮影した参照画像を合成してもよい。これにより、例えば、フリッカーの影響により合成画像の明るさが参照画像の明るさに対して差がある場合に、参照画像も合成することで、容易に適正露出に近い画像を得ることができる。
【００３８】
〔第２の実施形態〕 
次に、本発明の第２の実施形態について、図４を用いて説明する。
本実施形態に係るカメラが第１の実施形態と異なる点は、参照画像および被合成画像の輝度情報を抽出し、該輝度情報に基づいて被合成画像の選択を行う点である。以下、本実施形態に係るカメラについて、第１の実施形態と共通する点については説明を省略し、異なる点について主に説明する。
【００３９】
図４に示すように、画像処理装置２０は、撮像部１０７より入力された画像を一時保存するＳＤＲＡＭ１１０と、ＳＤＲＡＭ１１０に一時保存された画像を読み出して画像処理を施す画像処理部１０８と、画像処理部１０８により画像処理された画像の輝度の平均値を算出する輝度算出部（輝度情報抽出部）１２５と、輝度算出部１２５により算出された輝度の平均値に基づいて被合成画像を複数選択する画像選択部１２６と、画像選択部１２６により選択された複数の被合成画像を合成する画像合成部１２７とを備えている。
【００４０】
画像処理部１０８は、ＳＤＲＡＭ１１０に一時保存された参照画像および被合成画像を読み出し、三板化や補正などの画像処理を施し、画像処理が行われた参照画像および被合成画像を輝度算出部１２５および画像選択部１２６に出力するようになっている。
輝度算出部１２５は、画像処理部１０８により画像処理された参照画像および被合成画像の輝度の平均値を算出し、算出した輝度の平均値を画像選択部１２６に出力するようになっている。
【００４１】
画像選択部１２６は、輝度算出部１２５により算出された参照画像および被合成画像の輝度の平均値に基づいて、入力された複数の被合成画像の中から、該被合成画像の合成後の輝度の平均値と参照画像の輝度の平均値との差が所定値以下となるような被合成画像を選択し、選択した被合成画像を画像合成部１２７に出力するようになっている。また、画像選択部１２６は、参照画像を外部メモリ１１２に出力するようになっている。なお、選択されなかった被合成画像については削除することとしても良いし、外部メモリ１１２に出力することとしても良い。
【００４２】
画像合成部１２７は、画像選択部１２６により選択された複数の被合成画像を合成し、合成画像を外部メモリ１１２に出力するようになっている。
外部メモリ１１２は、画像選択部１２６より出力された参照画像および画像合成部１２７より出力された合成画像を記録するようになっている。
【００４３】
このように構成された本実施形態に係るカメラの作用について、以下に説明する。
露出調節部６により適正露出とされた状態で撮像装置５により取得された被写体の像は、ユーザによってシャッタボタン１２３が所定量押し込まれることによって、撮像部１０７により参照画像として取得され、ＳＤＲＡＭ１１０に出力される。
【００４４】
ＳＤＲＡＭ１１０に一時保存された参照画像は、画像処理部１０８により画像処理が施され、画像処理が行われた参照画像に対して輝度算出部１２５により輝度の平均値が算出される。輝度算出部１２５により算出された参照画像の輝度の平均値は、画像選択部１２６に出力される。また、画像処理が行われた参照画像は、画像選択部１２６を介して外部メモリ１１２に出力されて記録される。
外部メモリ１１２に記録された参照画像は、縮小処理部１１１により縮小処理が施され、表示部１０９にサムネイル画像として表示される。
【００４５】
また、適正露出の参照画像が撮影された後も継続して、シャッタボタン１２３が所定量押し込まれている場合、露出調節部６により露出の再設定が行われ、撮像装置５により被合成画像の連写撮影が行われる。
【００４６】
具体的には、ＡＥ部１０６により、被写体の画像がマイナス露出となるように露出設定値が変更される。そして、マイナス露出とされた被写体の像は、シャッタボタン１２３が所定量押し込まれている間には、連続して撮像部１０７により取得され、被合成画像としてＳＤＲＡＭ１１０に一時保存される。
【００４７】
ＳＤＲＡＭ１１０に一時保存された被合成画像は、画像処理部１０８により画像処理が施され、画像処理が行われた被合成画像に対して輝度算出部１２５により輝度の平均値が算出される。輝度算出部１２５により算出された被合成画像の輝度の平均値は、画像選択部１２６に出力される。また、画像処理が行われた被合成画像は、画像選択部１２６に出力される。
【００４８】
画像選択部１２６では、画像処理部１０８より入力された複数の被合成画像の中から、合成後の画像の輝度の平均値と参照画像の輝度の平均値との差が所定値以下となるように、被合成画像の選択が行われる。例えば、被合成画像の輝度の平均値が加算され、合計値が参照画像の輝度の平均値に最も近くなる組み合わせの被合成画像が選択される。そして、選択された被合成画像は、画像合成部１２７に出力される。
【００４９】
画像合成部１２７では、画像選択部１２６により選択された複数の被合成画像の合成が行われ、合成画像は外部メモリ１１２に出力されて記録される。
このように外部メモリ１１２に記録された合成画像が、縮小処理部１１１により縮小処理が施され、表示部１０９にサムネイル画像として表示される。
【００５０】
以上説明したように、本実施形態に係るカメラによれば、画像選択部１２６が、輝度算出部１２５により算出された参照画像および複数の被合成画像の輝度の平均値を比較して、複数の被合成画像を選択し、画像合成部１２７が、選択された複数のマイナス露出の被合成画像を合成することにより、適正露出の参照画像と同等の輝度の平均値を有する画像を生成することができる。
【００５１】
なお、複数の被合成画像の撮影条件の変動が少ない場合には、輝度算出部１２５は、１枚または少数枚の被合成画像についてのみ輝度の平均値を算出することとしても良い。そして、画像選択部１２６は、輝度算出部１２５により算出された１枚または少数枚の被合成画像についての輝度の平均値と参照画像の輝度の平均値との比率から、合成される被合成画像の枚数を算出し、算出した枚数の被合成画像を画像合成部１２７に出力することとしても良い。
【００５２】
また、輝度算出部１２５が算出する輝度情報としては、全画素の平均輝度値を用いて説明したが、これに限定されるものではなく、例えば、所定の画素の輝度値を用いることも可能である。
また、本実施形態において、参照画像の撮影後で、かつ、被合成画像の撮影前に一回のみ露出変更を行うとして説明したが、各被合成画像を撮影する度に露出変更を行っても良い。
【００５３】
また、本実施形態では、画像処理装置としてハードウェアによる処理を前提としていたが、このような構成に限定されるものではない。例えば、別途ソフトウェアにて処理する構成も可能である。この場合、画像処理装置は、ＣＰＵ、ＲＡＭ等の主記憶装置、上記処理の全て或いは一部を実現させるためのプログラムが記録されたコンピュータ読み取り可能な記録媒体を備えていればよい。そして、ＣＰＵが上記記憶媒体に記録されているプログラムを読み出して、情報の加工・演算処理を実行することにより、上述の画像処理装置と同様の処理を実現させることができる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００５４】
上記のソフトウェアによる具体的な処理について、図５に示すフローチャートに基づいて以下に説明する。
ユーザによってシャッタボタンが押され、連写モードによって撮影が開始されると（Ｓ１）、被写体の画像が適正露出となるように露出が変更される（Ｓ２）。
次に、撮像部により撮影された画像が参照画像としてＳＤＲＡＭ等の記憶手段に一時保存され（Ｓ３）、所定の画像処理が施された後に輝度平均値が算出される（Ｓ４）。ここで、算出された輝度平均値が、見本の輝度平均値Ａである。
そして、上記の処理が行われた参照画像は、外部メモリに出力されて記録され（Ｓ５）、表示部にサムネイル画像として表示される（Ｓ６）。
【００５５】
次に、シャッタボタンの押下が解除されているか否かの判定が行われ（Ｓ７）、解除されている場合には連写撮影を終了し、解除されていない場合には露出の変更が行われる（Ｓ８）。
次に、撮像部により撮影された画像が、被合成画像としてＳＤＲＡＭ等の記憶手段に一時保存され（Ｓ９）、所定の画像処理が施された後に輝度平均値が算出される（Ｓ１０）。ここで、各被合成画像に対して算出された輝度平均値が、各フレームの輝度平均値Ｂnである。
そして、上記の処理が行われた各被合成画像は外部メモリに出力されて記録される（Ｓ１１）。
【００５６】
次に、シャッタボタンの押下が解除されているか否かの判定が行われ（Ｓ１２）、解除されていない場合にはＳ９に戻り、解除されている場合には見本の輝度平均値Ａに近くなるような各フレームの輝度平均値Ｂnの組み合わせを算出し、合成に用いる被合成画像の選択が行われる（Ｓ１３）。なお、Ｓ１２において、シャッタボタンの押下が解除されていない場合には、Ｓ８に戻り、露出の変更をその都度行うこととしてもよい。
次に、選択した被合成画像を合成し（Ｓ１４）、合成画像は外部メモリに出力されて記録される（Ｓ１５）。
上記のように外部メモリに記録された合成画像が、表示部にサムネイル画像として表示され、連写撮影が終了する（Ｓ１６）。
【００５７】
また、本実施形態に係るカメラの変形例として、図６に示すように、画像合成部１２７の後段に輝度補正部１３０を備えてもよい。
本変形例に係るカメラによれば、輝度補正部１３０は、画像合成部１２７より出力された合成画像に対して、輝度算出部１２５により算出された参照画像および被合成画像の輝度の平均値を用いて、参照画像の輝度の平均値と合成画像の輝度の平均値とが更に近づくように補正を行う。このようにすることで、更に参照画像の露出に近い合成画像を得ることが可能となる。
【図面の簡単な説明】
【００５８】
【図１】本発明の第１の実施形態に係るカメラの上面図である。
【図２】図１に示すカメラの背面図である。
【図３】図１に示すカメラが備える機能を展開して示した機能ブロック図である。
【図４】本発明の第２の実施形態に係るカメラが備える機能を展開して示した機能ブロック図である。
【図５】図４に示すカメラの処理手順を示すフローチャートである。
【図６】図４に示す機能ブロック図の変形例である。
【符号の説明】
【００５９】
１  カメラ
３  カメラ本体
４  制御部
５  撮像装置
６  露出調節部
７  シャッタ操作部
１０，２０，３０  画像処理装置
１０９  表示部
１１１  縮小処理部
１２５  輝度算出部
１２６  画像選択部
１２７  画像合成部
１３０  輝度補正部
【図１】
2009044235.tif 000003
【図２】
2009044235.tif 000004
【図３】
2009044235.tif 000005
【図４】
2009044235.tif 000006
【図５】
2009044235.tif 000007
【図６】
2009044235.tif 000008